(57)【要約】      （修正有）【課題】保険薬局等で薬を仕分けセットされた状態後でも、小さく折畳んで持ち運びが容易にして、帰宅後は、壁等に掛けてカレンダーのように薬の服用日時を一目で確認でき、しかも低コストで製造できる折畳み服薬カレンダーを提供する。  【解決手段】表面１ａに、シール部材８の接着面を着脱自在に貼着できる平滑面が形成され、細幅の第一帯板部２の両側縁に第一折り目を介在させて、両外方へ矩形主板部３が延在し、且つ両主板部３の下縁に第二折り目Ｆ２を夫々介在させて、下方へ帯幅が第一帯板部２のものよりも小さい第二帯板部４が帯幅方向に延在し、さらに両第二帯板部４の下縁に折曲げ可能な第三折り目Ｆ３を介在させて、下方へ副板部５が夫々延在する基板１と、基板１の表面１ａ側に、縦線６１と横線６２とで格子状に印刷して四角形の窓枠６３を複数形成し、各窓枠６３内の基板部分が一回に服用する個装薬剤ｍ又は一回に服用する薬剤ｍをまとめて入れた収納袋Ｇを貼着セットできる単位スペース６０になるようにした格子線図６と、を具備する。【選択図】図１
0003197075.tif 000002
【実用新案登録請求の範囲】
【請求項１】
表面(1a)に、シール部材(8)の接着面を着脱自在に貼着できる平滑面が形成されると共に、細幅の第一帯板部(2)の両側縁(21)に第一折り目(F1)を介在させて、両外方へ矩形主板部(3)が延在し、且つ両主板部(3)の下縁(31)に第二折り目(F2)を夫々介在させて、下方へ帯幅が前記第一帯板部(2)のものよりも小さい第二帯板部(4)が帯幅方向に延在し、さらに両第二帯板部(4)の下縁(41)に折曲げ可能な第三折り目(F3)を介在させて、下方へ副板部(5)が夫々延在する基板(1)と、
該基板(1)の表面(1a)側に、縦線(61)と横線(62)とで格子状に印刷して四角形の窓枠(63)を複数形成し、各窓枠(63)内の基板部分が一回に服用する個装薬剤(m)又は一回に服用する薬剤(m)をまとめて入れた収納袋(G)を貼着セットできる単位スペース(60)になるようにした格子線図(6)と、を具備し、
前記格子線図(6)の上縁沿い及び左側縁沿いの前記基板(1)上に、服薬スケジュールに合わせた日付、曜日、又は時間帯のうちのいずれかを、直書きするか又は印刷したシール片(81)からなるシール部材(8)を貼着して、前記格子線図(6)を服薬スケジュール管理線図(7)とし、且つ第二折り目(F2)及び第三折り目(F3)で折曲げて主板部表面(3a)と副板部表面(5a)とを対向させ、さらに前記第一折り目(F1)で折曲げて両副板部(5)の裏面(5b)同士を対向させて、折畳めるようにしたことを特徴とする折畳み服薬カレンダー。
【請求項２】
前記第二折り目(F2)及び前記第三折り目(F3)で折曲げて主板部表面(3a)と副板部表面(5a)とを対向させ、さらに前記第一折り目(F1)で折曲げて両副板部(5)の裏面(5b)同士を対向させて、折畳まれてなる前記基板(1)の平面視大きさが、Ａ４サイズ以下でＢ５サイズ以上になるようにした請求項１記載の折畳み服薬カレンダー。
【請求項３】
前記格子線図(6)に前記単位スペース(60)が横方向に複数設けられると共に縦方向に七段設けられ、且つ該単位スペースに係る最左列単位スペースよりも左方外側沿いの前記基板(1)上にタイトル列スペース(66)が設けられ、該タイトル列スペース(66)に服薬スケジュールに合わせた曜日を直書きするか又は曜日を印刷した前記シール片(81)を貼着してなる請求項１又は２に記載の折畳み服薬カレンダー。
【請求項４】
前記単位スペース(60)に係る最上段単位スペースよりも上方外側沿いの前記基板(1)上にタイトル行スペース(65)が設けられ、該タイトル行スペース(65)に服薬スケジュールに合わせた時刻帯を直書きするか又は時間帯を印刷した前記シール片(81)を貼着してなる請求項３記載の折畳み服薬カレンダー。
【請求項５】
前記基板(1)の上部に吊設用透孔(36)が形成され、さらに基板(1)の上部の両端寄りに係止用通孔(37)が形成された請求項１乃至４のいずれか１項に記載の折畳み服薬カレンダー。
【請求項６】
前記基板(1)が、紙製板体(1S)と、その表面側に一体化されてなる透明の合成樹脂製被膜(1M)と、を備え、該紙製板体(1S)の表面に前記格子線図(6)が印刷され、該格子線図(6)を介在させた紙製板体(1S)の表面側に、前記被膜(1M)が一体化された請求項１乃至５のいずれか１項に記載の折畳み服薬カレンダー。
【請求項７】
前記格子線図(6)を介在させた紙製板体(1S)の表面側に、ポリプロピレンフィルムの前記被膜(1M)が熱圧着で一体化された請求項６記載の折畳み服薬カレンダー。
【考案の詳細な説明】
【技術分野】
【０００１】
本考案は、薬を服用時ごとに仕分けセットして壁掛けカレンダーのように壁等に吊すことが可能で、且つ持ち運びを容易にした折畳み服薬カレンダーに関する。
【背景技術】
【０００２】
従来から患者の薬の飲み忘れや誤飲を防止する対策が進められている。そして、こうした要求に応える発明も種々提案されてきた（例えば特許文献１）。
【先行技術文献】
【特許文献】
【０００３】
【特許文献１】実用新案登録第３１０５１１３号公報
【特許文献２】実用新案登録第３１５２２８６号公報
【特許文献３】実用新案登録第３０９４３３７７号公報
【考案の開示】
【考案が解決しようとする課題】
【０００４】
特許文献１、２は、持ち運びが容易なカバン状にした薬剤仕分け用可搬袋や、携帯用薬収納ポーチを提案する。しかし、双方とも構成が複雑で、高コストになる問題があった。また、双方とも、カレンダーのような壁掛け式にして、家族全員で管理することが難しくなっている。カレンダー仕様にすれば、薬が一目で確認できるため、飲み違いや二重服用、または飲み忘れを防止でき、さらに壁掛け式により、場所をとらず家族全員で管理できる利点があるが、こうした利点を享受できない構成になっていた。
【０００５】
一方、特許文献３は、毎日決められた時間に服用しなければならない薬を、曜日ごとに朝、昼、夕、寝る前と整理して収納できる投薬カレンダーを提案する。しかし、持ち運びが不便であった。その段落００３１で、「図６に示すように、本体シート１を折り畳み、表示プレート２の台紙をセットして、病院や保険薬局において頒布するのに適したものを構成する」ことができるとするが、単にジャバラ状に折り畳むだけであり、畳んでも簡単に開いてしまい、使いづらい問題があった。そのため、特許文献３は図１のタイプが市販されている。そして、これも持ち運びが不便になっている。
特許文献３の投薬カレンダー（本考案では折畳み服薬カレンダー）の場合、患者本人又は家族が薬を仕分けセットする他、薬剤師が訪問時セットする方法や保険薬局で薬を仕分けセットしたものを持ち帰る方法が考えられる。専門家でないホームヘルパー等に仕分けセットをお願いすると、責任の所在の点で断られている現状がある。この投薬カレンダーは、保険薬局で薬を仕分けセットすると、持ち運びが不便なことから、車での外来通院をしている場合を除いて使用しづらくなっている。
さらに、薬は薬品収納ポケットに入れて保持される構成であり、持ち運びの際、ポケットから薬がこぼれ落ちる虞がある。さらにいえば、日付軸及び服用時間帯軸の交差位置に多くのポケットを配設させねばならず、投薬カレンダーの製造コストが高くなる問題があった。
【０００６】
本考案は上記問題点を解決するもので、保険薬局等で薬を仕分けセットされた状態後でも、小さく折畳んで持ち運びが容易にして、帰宅後は、壁等に掛けてカレンダーのように薬の服用日時を一目で確認でき、しかも低コストで製造できる折畳み服薬カレンダーを提供することを目的とする。
【課題を解決するための手段】
【０００７】
上記目的を達成すべく、請求項１に記載の考案の要旨は、表面(1a)に、シール部材(8)の接着面を着脱自在に貼着できる平滑面が形成されると共に、細幅の第一帯板部(2)の両側縁(21)に第一折り目(F1)を介在させて、両外方へ矩形主板部(3)が延在し、且つ両主板部(3)の下縁(31)に第二折り目(F2)を夫々介在させて、下方へ帯幅が前記第一帯板部(2)のものよりも小さい第二帯板部(4)が帯幅方向に延在し、さらに両第二帯板部(4)の下縁(41)に折曲げ可能な第三折り目(F3)を介在させて、下方へ副板部(5)が夫々延在する基板(1)と、該基板(1)の表面(1a)側に、縦線(61)と横線(62)とで格子状に印刷して四角形の窓枠(63)を複数形成し、各窓枠(63)内の基板部分が一回に服用する個装薬剤(m)又は一回に服用する薬剤(m)をまとめて入れた収納袋(G)を貼着セットできる単位スペース(60)になるようにした格子線図(6)と、を具備し、前記格子線図(6)の上縁沿い及び左側縁沿いの前記基板(1)上に、服薬スケジュールに合わせた日付、曜日、又は時間帯のうちのいずれかを、直書きするか又は印刷したシール片(81)からなるシール部材(8)を貼着して、前記格子線図(6)を服薬スケジュール管理線図(7)とし、且つ第二折り目(F2)及び第三折り目(F3)で折曲げて主板部表面(3a)と副板部表面(5a)とを対向させ、さらに前記第一折り目(F1)で折曲げて両副板部(5)の裏面(5b)同士を対向させて、折畳めるようにしたことを特徴とする折畳み服薬カレンダーにある。
請求項２の折畳み服薬カレンダーは、請求項１で、第二折り目(F2)及び前記第三折り目(F3)で折曲げて主板部表面(3a)と副板部表面(5a)とを対向させ、さらに前記第一折り目(F1)で折曲げて両副板部(5)の裏面(5b)同士を対向させて、折畳まれてなる前記基板(1)の平面視大きさが、Ａ４サイズ以下でＢ５サイズ以上になるようにしたことを特徴とする。請求項３の折畳み服薬カレンダーは、請求項１又は２で、格子線図(6)に前記単位スペース(60)が横方向に複数設けられると共に縦方向に七段設けられ、且つ該単位スペースに係る最左列単位スペースよりも左方外側沿いの前記基板(1)上にタイトル列スペース(66)が設けられ、該タイトル列スペース(66)に服薬スケジュールに合わせた曜日を直書きするか又は曜日を印刷した前記シール片(81)を貼着してなることを特徴とする。請求項４の折畳み服薬カレンダーは、請求項３で、単位スペース(60)に係る最上段単位スペースよりも上方外側沿いの前記基板(1)上にタイトル行スペース(65)が設けられ、該タイトル行スペース(65)に服薬スケジュールに合わせた時間帯を直書きするか又は時間帯を印刷した前記シール片(81)を貼着してなることを特徴とする。請求項５の折畳み服薬カレンダーは、請求項１〜４で、基板(1)の上部に吊設用透孔(36)が形成され、さらに基板(1)の上部の両端寄りに係止用通孔(37)が形成されたことを特徴とする。請求項６の折畳み服薬カレンダーは、請求項１〜５で、基板(1)が、紙製板体(1S)と、その表面側に一体化されてなる透明の合成樹脂製被膜(1M)と、を備え、該紙製板体(1S)の表面に前記格子線図(6)が印刷され、該格子線図(6)を介在させた紙製板体(1S)の表面側に、前記被膜(1M)が一体化されたことを特徴とする。請求項７の折畳み服薬カレンダーは、請求項６で、格子線図(6)を介在させた紙製板体(1S)の表面側に、ポリプロピレンフィルムの前記被膜(1M)が熱圧着で一体化された請求項６記載の折畳み服薬カレンダー。
【考案の効果】
【０００８】
本考案の折畳み服薬カレンダーは、壁等に掛けてカレンダーのように薬の服用日時を一目で確認できるにとどまらず、診察後の保険薬局等で薬を仕分けセットした状態にしても、そのセット状態を保って難なく持ち運びでき、使い勝手に優れ、さらに従来品に比べて格段に低コストで提供できるので、広く行きわたらすことが可能で、飲み違いや二重服用、または飲み忘れの防止に威力を発揮できるなど多大な効を奏する。
【図面の簡単な説明】
【０００９】
【図１】本考案の折畳み服薬カレンダーの一形態で、その説明斜視図である。
【図２】図１を裏面側から見た斜視図である。
【図３】図１の状態から第二折り目及び第三折り目で折曲げて主板部に副板部を重ねた斜視図である。
【図４】図３の状態から第一折り目で折曲げて両副板部の裏面同士を対向させて、折畳んだ斜視図である。
【図５】図２のV-V線矢視図である。
【図６】図５に代わる他態様図である。
【図７】図１の部分拡大図である。
【図８】図４の折畳んだ服薬カレンダーをレジ袋に入れる様子の説明斜視図である。
【考案を実施するための形態】
【００１０】
以下、本考案に係る折畳み服薬カレンダーについて詳述する。
図１〜図８は本考案の折畳み服薬カレンダーの一形態で、図１はその説明斜視図、図２は図１を裏面側から見た斜視図、図３は図１の状態から第二折り目及び第三折り目で折曲げて主板部に副板部を重ねた斜視図、図４は図３の状態から第一折り目で折曲げ、両副板部の裏面同士を対向させて折畳んだ斜視図、図５は図２のV-V線矢視図、図６は図５に代わる他態様図、図７は図１の部分拡大図、図８は図４の折畳んだ服薬カレンダーをレジ袋Ｒに入れる様子の説明斜視図である。尚、図面を判り易くするため、図１,図３では第一折り目Ｆ１の図示を省き、図３は第二帯板部４の帯幅を大きく強調し、図４,図８では第一帯板部２及び第二帯板部４の帯幅を大きく強調して描く。
【００１１】
折畳み服薬カレンダーは、基板１と格子線図６とシール片８１とを具備する。例えば病院近くの保険薬局で出される薬を、その場で各服薬時ごとに仕分けセットしても、そのセット状態を保ったまま、患者が容易に持ち運びできる折畳み服薬カレンダーになっている。
【００１２】
基板１は、板状体にして、第一帯板部２と主板部３と第二帯板部４と副板部５と第一折り目Ｆ１と第二折り目Ｆ２と第三折り目Ｆ３とを具備する。板状体には紙などからなる可撓性のあるシート状体(紙製板体１Ｓ)を含む。基板１の表面１ａには、接着面を対向させたシール部材８を着脱自在に貼着できる平滑面が形成される。
本実施形態の基板１は、紙製板体１Ｓと、その表面側に一体化されてなる透明の合成樹脂製被膜１Ｍと、を備える。紙製板体１Ｓの表面に格子線図６が印刷され、該格子線図６を介在させた紙製板体１Ｓの表面側に、前記被膜１Ｍが一体化される。基板表面１ａの合成樹脂製被膜１Ｍがシール部材８を着脱自在に貼着可能にする。紙製板体１Ｓは、その厚さが四六判110kg以上であることが好ましい。110kg未満の厚みだと、紙製板体１Ｓの表面側に印刷される被膜１Ｍがシワになったりよれたりする虞があるからである。また、基板１は使い易い保形性を確保すべく、その紙製板体１Ｓには0.15mm厚〜0.23mm厚のコシの強い厚紙を用いるのが好ましい。本基板１は、用紙Ａ２サイズの厚紙から、第一帯板部２と主板部３と第二帯板部４と副板部５とが一体になるように裁断形成され、且つ各境界部分に、第一折り目Ｆ１と第二折り目Ｆ２と第三折り目Ｆ３が形成される。
【００１３】
第一帯板部２は、細幅帯状体で、その帯長がＡ４サイズ(縦297mm×横210mm)の縦長さに近い値になっている。第一帯板部２の帯幅は、第二帯板部４の帯幅の約二倍とし、一回に服用する薬剤ｍをまとめて入れた収納袋Ｇを四つ重ねした場合の厚み幅に対応させた数値とする。診察を終えた患者には、例えば一か月分の薬が渡されるが、これらを分包して基板１の単位スペース６０(詳細後述)にセット後、図４のように四つ折りに折畳んだ状態にしても十分収まる帯幅が確保される。ここでの第一帯板部２の帯幅は2cm程度とする。
【００１４】
主板部３は、第一帯板部２２の両側縁２１に第一折り目Ｆ１を介在させて、両外方へＡ４サイズに近い大きさで延在する矩形板部である(図２)。本実施形態は、Ａ４サイズと同等又はこれよりも若干小さめの主板部３が一対設けられる。
【００１５】
第二帯板部４は、両主板部３の下縁３１に第二折り目Ｆ２を夫々介在させて、下方へ帯幅が前記第一帯板部２２のものよりも小さくして、帯幅方向に延在させた細幅帯状体である(図１,図２)。ここで、本考案でいう「下方」とは折畳み服薬カレンダーＣＡが壁等に吊下げられた状態下での鉛直方向を指す。折畳み服薬カレンダーＣＡが吊下げ状態に近い図１で、「下方」は紙面下方、「上方」は「紙面上方」、「左方」は「紙面左方」、「右方」は「紙面右方」を指す。
第二帯板部４は、上縁の横長さがＡ４サイズの横長さ(210mm)に近い値で、第一帯板部２の帯幅の約１／２分が下方へ延びる。第二帯板部４が図示のごとく二つ設けられる。
【００１６】
副板部５は、両第二帯板部４の下縁４１に折曲げ可能な第三折り目Ｆ３を介在させて、下方へ夫々延在する矩形板部である。副板部５は、Ａ４サイズの横長さ(210mm)に近い値で、主板部３の下方に第二帯板部４を介して、Ａ４サイズの縦長さ(297mm)の相当分が延設される。
【００１７】
第一折り目Ｆ１は、第一帯板部２と主板部３との境界部分に設けられるライン状折曲げ部分、第二折り目Ｆ２は主板部３と第二帯板部４との境界部分に設けられるライン状折曲げ部分、第三折り目Ｆ３は第二帯板部４と副板部５との境界部分に設けられるライン状折曲げ部分である。図５に第二折り目Ｆ２と第三折り目Ｆ３の概略横断面図を示すが、プレス加工により、折り目に沿って基板表面１ａにスジ状の溝を形成すると共に、基板裏面１ｂには横断面逆Ｕ字状の膨らみを形成し、基板表面１ａ側への折曲げを可能にする。第一折り目Ｆ１もこれと同様に加工形成される。
【００１８】
前記基板１は、略Ａ２サイズ以下でＢ３サイズ以上の大きさとし、図１に示す展開状態下での形状が逆凹形にして、第一帯板部２の下方を該第一帯板部２の大きさに略等しい大きさで切り欠いたものとなっている。そして、この状態から第二折り目Ｆ２及び第三折り目Ｆ３で折曲げて、主板部３の表面と副板部５の表面とを対向させ(図３)、さらに前記第一折り目Ｆ１で折曲げて両副板部５の裏面５ｂ同士を対向させて、図４のように折畳めるようにする。図１に示す基板１を四つ折りし、当初大きさから１／４程度の大きさにまで折畳むことができる。四つ折りに折畳まれた基板１の平面視大きさが、Ａ４サイズ(縦297mm×横210mm)以下でＢ５サイズ(縦257mm×横182mm)以上になるようにしている。
【００１９】
格子線図６は、基板１の表面１ａ側に、縦線６１と横線６２とで格子状に印刷して四角形の窓枠６３を複数形成した印画図である。ここで、本考案でいう「縦線」とは、折畳み服薬カレンダーＣＡが吊下げ状態に近い図１で、紙面上下方向の線、「横線」とは紙面水平方向の線を指す。格子線図６は、各窓枠６３内の基板部分が一回に服用する個装薬剤ｍ又は一回に服用する薬剤ｍをまとめて入れた収納袋Ｇを貼着セットできる単位スペース６０になるように設けられる。具体的には縦約70mm×横90mm程度の大きさとする。ここで、個装薬剤ｍとは錠剤やカプセルが個別包装されたもので、具体的には、錠剤又はカプセルがPTP包装(press through pack)やSP包装(strip package)されたものをいう。
一回に服用する薬剤ｍを収納袋Ｇの一袋にまとめて一包化させた薬剤ｍ入り収納袋Ｇは、例えば株式会社湯山製作所や株式会社トーショー等の汎用錠剤分包機によって簡単に作製できる。該薬剤ｍ入り収納袋Ｇは単位スペース６０に貼着セット可能な大きさになる。図７は、分包機がカットした矩形フィルム部分Ｇ１の内側に一回に服用するタブレット錠剤とカプセル錠剤の薬剤ｍをまとめて置いた状態にしてフィルム部分Ｇ１の中央で折曲げた後、該フィルム部分Ｇ１の周囲をヒートシールして、袋内に一回に服用する薬剤ｍを入れた収納袋Ｇの一例を図示する。収納袋Ｇのコ字状周囲部分がヒートシール部Ｇ２になる。
本実施形態の格子線図６には、横方向に単位スペース６０が四列設けられ、縦方向に単位スペース６０が七段設けられる。第一帯板部２の全面を太線にしてこれを縦線６１の列方向中央線とする。
【００２０】
そして、格子線図６の上縁沿い及び左側縁沿いの基板１上に、服薬スケジュールに合わせた日付、曜日、又は時間帯のうちのいずれかを、直書きするか又は印刷したシール片８１からなるシール部材８を貼着して、前記格子線図６を服薬スケジュール管理線図７にする。本実施形態は、単位スペース６０の最左列よりも左方外側沿いの前記基板１上にタイトル列スペース６６が設けられる。格子線図６の最左線を形成する縦線６１の左方外側沿いの基板１上にタイトル列スペース６６を設け、該タイトル列スペース６６に服薬スケジュールに合わせた曜日を印刷(又は直書き)したシール片８１を貼着する。また、単位スペース６０の最上列よりも上方外側沿いの基板１上にタイトル行スペース６５が設けられる。単位スペース６０の最上線を形成する横線６２の上方外側沿いの基板１上にタイトル行スペース６５を設け、該タイトル行スペース６５に服薬スケジュールに合わせた時間帯を印刷(又は直書き)したシール片８１を貼着する。
【００２１】
図１の格子線図６は、左側側縁沿いのタイトル列スペース６６だけでなく、右側側縁沿いのタイトル列スペース６７を設けて、両側に曜日のシール片８１を貼着できる服薬スケジュール管理線図７になっている。
前記窓枠６３に関しては、隣接する単位スペース６０間との区分けが明らかであればよく、単位スペース６０の四方すべてを縦線６１と横線６２とで囲むことを要しない。本格子線図６の窓枠６３も、最下段にある単位スペース６０は、下縁側横線６２がなくてもそのスペースが明らかであり、これを省く。また副板部５には、第一帯板部２の下方に位置する列方向中央で、縦方向に仕切る縦線６１を設けていない。列中央の縦線６１がなくても、第一帯板部２の下方に切欠き部分が存在し、この切欠き部分が縦線６１の仕切りの役割を果たすからである。
【００２２】
既述のごとく、本実施形態の基板１は紙製板体１Ｓと合成樹脂製被膜１Ｍとを具備する。基板１は、紙製板体１Ｓと、その表面側に一体化されてなる透明の合成樹脂製被膜１Ｍと、を具備し、紙製板体１Ｓの表面に格子線図６が印刷され、該格子線図６を介在させた紙製板体１Ｓの表面側に、被膜１Ｍが一体化されている。
より詳しくは、格子線図６を介在させた紙製板体１Ｓの表面側に、透明のポリプロピレンフィルムの被膜１Ｍが熱圧着で一体化される。紙製板体１Ｓの表面に印刷された格子線図６に、透明のポリプロピレンフィルムを熱シリンダーで熱圧着させる。格子線図６のインク剥がれからの保護だけでなく、紙製板体１Ｓの保護、さらにポリプロピレンフィルムがもつ表面の平滑性によって、シール片８１等からなるシール部材８の接着面を着脱自在に且つ簡便に貼着できる平滑面がつくられる。また、基板１の被膜１Ｍ上に水性ペンや油性マジック等で書いても、簡単に消すことができる。油性マジックで書いた文字は、保険薬局を出た後の帰宅途中で擦ったり接触したりしても消えることがない。それでいて、基板表面１ａにポリプロピレン樹脂製被膜１Ｍが形成されているので、油性マジックの文字でも消毒用エタノールで簡単に消せ、また家庭ではサラダ油、みかんやレモンの皮、さらにプラスチックの消しゴムで簡単に消すことができる。基板１のタイトル行スペース６５,タイトル列スペース６６,６７上への、服薬スケジュールに合わせた日付、曜日、又は時間帯等の直書きも可能になっている。尚、被膜１Ｍは紙製板体１Ｓの表面に塗布等によるコーティング処理で形成されるものでもよい。
【００２３】
シール片８１は、図７のごとく印刷部９１や直書き空白部９２を有する樹脂製又は紙製のテープ部分８１ａと、この裏面に一体化する接着剤層８１ｂを備える。シール片８１の接着剤層８１ｂに係る接着面が基板表面１ａに着脱自在に貼着できる。本考案の接着剤層８１ｂには粘着剤層を含み、接着面には粘着面を含むものとする。
シール片８１は、テープ部分８１ａの裏面に接着剤層８１ｂが積層付与される一方、テープ部分８１ａの表面に図１のごとく、朝、昼、夕、寝る前の四つの時間帯や各曜日が夫々印刷された付箋ほどの大きさの小片である。各曜日が夫々印刷されたシール片８１の表側シート部分８１ａは、その上部に日付が記入される直書き空白部９２を設けて、裏面側の接着剤層８１ｂに係る接着面をポリプロピレンフィルムからなる基板表面１ａへ着脱自在に貼着できる。各曜日が夫々印刷されたシール片８１は所定のタイトル列スペース６６に貼着される。タイトル列スペース６６は図１のように左側だけでなく、右側のタイトル列スペース６７にも貼着されてもよい。一方、朝、昼等の時間帯が印刷されたシール片８１は所定のタイトル行スペース６５に貼着される。
尚、本実施形態はシール片８１を用いたが、このシール片８１は折り畳み服薬カレンダーの必須構成要素ではない。シール片８１に代えて、タイトル列スペース６６,６７やタイトル行スペース６５に、例えばマジック等で日付、曜日、及び時間帯を直書きしてもよい。また、直書きとシール片８１とを併用することもできる。
【００２４】
符号３６は基板１の上部に形成される吊設用透孔を示す。透孔３６が中央寄りに二つ形成され、これらに紐ＳＴを通して、折り畳み服薬カレンダーを壁等に吊すことができる。符号３７は基板１の上部の両端寄りに形成される係止用通孔を示す。該通孔３７を利用して画鋲等で、折畳み服薬カレンダーＣＡを壁等に止めることができるようになっている。符号ＢＮは基板表面１ａ側(詳しくは紙製板体１Ｓの表面)で、その上縁近くの中央に、格子線図６の印刷と一緒に印刷される服薬カレンダーの表示部を示す。
【００２５】
符号ＳＰはスポンサー名の印刷表示部、符号ＮＡは基板１の裏面に表示する患者の氏名欄、符号ＦＧは図形印刷部で、これらは基板裏面１ｂに設けられる(図２)。スポンサー名の印刷表示部ＳＰには、例えば病院で診察を終えた患者に服薬を手渡す保険薬局名等が印刷される。本折畳み服薬カレンダーＣＡは、図４のごとく折畳まれた状態で持ち歩く際、基板裏面１ｂが外側意匠面になる。
【００２６】
折畳み服薬カレンダーＣＡは、前記紙製板体１Ｓに代えて合成樹脂製板体１Ｐとすることもできる。図６は図５に代わる他態様の折畳み服薬カレンダーＣＡで、その部分拡大断面図を示す。主板部３と副板部５とが保形性を有する合成樹脂製板体１Ｐからなり、且つ第一折り目Ｆ１、第二折り目Ｆ２、及び第三折り目Ｆ３をインテグラルヒンジ１Ｈで形成して、該主板部３、副板部５、第一折り目Ｆ１、第二折り目Ｆ２、及び第三折り目Ｆ３が一体成形されるようにしている。
主板部３から第二帯板部４に移る第二折り目Ｆ２の領域にインテグラルヒンジ１Ｈを形成し、該第二折り目Ｆ２を担わせる。第二折り目Ｆ２の部位で、主板部３や第二帯板部４よりも厚みを薄くし、括れ部分の形成によって折曲げ変形が可能なインテグラルヒンジ１Ｈにする。第二帯板部４から副板部５に移る第三折り目Ｆ３の領域にも、厚みを薄くしたインテグラルヒンジ１Ｈを形成して、第三折り目Ｆ３を担わせる。図６で、第二帯板部４を固定保持し、インテグラルヒンジ１Ｈにて屈曲させた主板部３、副板部５は、図５の主板部３、副板部５と同じように基板表面１ａ側へ折れ曲がり、図６の鎖線図示のごとく主板部表面３ａと副板部表面５ａとを対向させることができる。図示を省略するが、図６のインテグラルヒンジ１Ｈと同様のものが第一帯板部２２から主板部３に移る第一折り目Ｆ１の領域にも形成される。したがって、図６の鎖線図示の状態から、さらに第一折り目Ｆ１にあたるインテグラルヒンジ１Ｈで折曲げて両副板部５の裏面５ｂ同士を対向させて、図４のように折畳むことができる。
尚、図６の基板１は合成樹脂製板体１Ｐの表面が平滑面を形成し、図５の合成樹脂製被膜１Ｍの平滑面の代りになるので、図５のような被膜１Ｍは存在しない。合成樹脂製板体１Ｐの表面に格子線図６が印刷される。
【００２７】
次に、本折畳み服薬カレンダーＣＡの一使用例を述べる。病院近くの保険薬局で、診察を終えた患者に薬を出す際、本折畳み服薬カレンダーＣＡに薬を飲む日付,時間帯に合わせてセットする作業を行う。折畳み服薬カレンダーＣＡへの薬のセットは、例えば患者の受診が２９日の火曜日の朝であれば、図１のごとく左側縁沿いのタイトル列スペースに、上から(火)から(月)となるようにしてシール片８１を貼着する。各曜日の上の表側シート部分には２９日からの日付をマジック等で順次記入する。そして、患者の服用する時間帯が、例えば朝、昼、夕、寝る前であれば、それらのシール片８１をタイトル行スペース６５に貼着する。さらに、一回に服用する個装薬剤ｍ又は一回に服用する薬剤ｍをまとめて入れた収納袋Ｇを各単位スペース６０に貼着セットしていく。図７のように、収納袋Ｇの上縁部に接着テープ片Ｔ(粘着テープ片を含む)の接着面(粘着面を含む)が載るようにして、該接着テープ片Ｔの残り部分を単位スペース６０の面に貼着すれば、収納袋Ｇを単位スペース６０に固定保持できる。図１で、寝る前の列に見られるように個装薬剤ｍが一個又は二個の場合、個装薬剤ｍに接着テープ片Ｔを直接付着させ、該接着テープ片Ｔの両端部分を単位スペース６０の面に貼着してもよい。符号ＰＫは個装薬剤ｍに係るPTP包装の容器を示す。
【００２８】
こうして、薬が一週間分の曜日,時間帯ごとにセットされた折畳み服薬カレンダーＣＡが出来上がる。患者には薬(錠剤等の薬剤ｍ)が通常、1ヶ月分提供されるので、一週間分の薬ｍをセットした折畳み服薬カレンダーＣＡが四枚できる。この薬ｍがセットされた折畳み服薬カレンダーＣＡを保険薬局から受取った患者は、その折畳み服薬カレンダーＣＡを図４のように折畳んだ状態にして持ち帰る。
折畳み服薬カレンダーＣＡは当初大きさの１／４程度に小さく折畳まれ、且つ一ヶ月分の四枚あっても厚みがそれほどないので、レジ袋Ｒに四枚分を入れ、その把手Ｒｈを掴んで持ち運びできる。図８は図面を判り易くするため、第一帯板部２,第二帯板部４の帯幅を大きくするが、既述のごとく、第一帯板部２の帯幅は約2cmで、第二帯板部４は約1cmであり、折畳まれた折畳み服薬カレンダーＣＡの厚みは薄い。四枚あっても楽々レジ袋Ｒに入る。帰宅後は、図１のように基板１を展開し、壁などに吊るして服薬カレンダーとして使用する。
【００２９】
そして、次回通院時は、単位スペース６０に個装薬剤ｍや収納袋Ｇのない空になった折畳み服薬カレンダーＣＡを持参する。基板表面１ａが合成樹脂製被膜１Ｍからなる平滑面であるので、接着面側に接着剤を付与したシール片８１や接着テープ片Ｔを何度も貼ったり剥がしたりすることができ、また、油性のペンで前回記載した文字でも消毒用エタノール等で容易に消すことができる。保険薬局では、前述と同様の作業をする。タイトル行スペース６５,タイトル列スペース６６,６７に、直書きするか所定のシール片８１を貼着し、また、各単位スペース６０に所定の個装薬剤ｍ又は薬剤ｍを入れた収納袋Ｇを、接着テープ片Ｔで貼着セットした折畳み服薬カレンダーＣＡを完成させ、これを患者に手渡す。折畳み服薬カレンダーＣＡは何度も使用可能である。
尚、図１は患者が朝、昼、夕、寝る前と一日に四回服用する例を示したが、朝と夕の一日二回であれば、タイトル行スペース６５に朝夕が横に二回並ぶようにシール片８１を貼着する。レジ袋Ｒに入れる折畳み服薬カレンダーＣＡは二枚で済む。
【００３０】
このように構成した折畳み服薬カレンダーＣＡは、格子線図６の上縁沿い及び左側縁沿いの基板１上に、服薬スケジュールに合わせた日付、曜日、又は時間帯のうちのいずれかを、直書きするか又は印刷したシール片８１を貼着すると、服薬スケジュール管理線図７になる。各窓枠６３内の基板部分が一回に服用する個装薬剤ｍ又は一回に服用する薬剤ｍをまとめて入れた収納袋Ｇを貼着セットできる単位スペース６０になるようにした格子線図６を形成している。故に、保険薬局で受取った一まとめの薬剤ｍを、服用日時に合わせて、直書き又は貼着したシール片８１で特定される各単位スペース６０上に分配し、図１のように接着テープ片Ｔで各単位スペース６０上に接着固定していけば、服用日時に薬剤ｍが取付けられた所望の服薬カレンダーが出来上がる。透孔３６に紐ＳＴを通して壁などに吊るす壁掛け式になるので、場所をとらずに家族全員で服用管理することができる。特許文献２、３と違って、毎日決められた時間に服用しなければならない薬が一目で視認できるので、飲み間違いや二重服用、さらに飲み忘れを防止できる。
【００３１】
また、主板部３と副板部５と第一帯板部２と第二帯板部４を備え、且つそれらの境界部分に第一折り目Ｆ１、第二折り目Ｆ２、第三折り目Ｆ３を設けて、第二折り目Ｆ２及び第三折り目Ｆ３で折曲げて主板部表面３ａと副板部表面５ａとを対向させ、さらに前記第一折り目Ｆ１で折曲げて両副板部５の裏面５ｂ同士を対向させて、折畳めるようにするので、四つ折りに小さくできる。したがって、病院での診察を終え、保険薬局で服用日時に薬剤ｍが取付けられた図１ごとくの服薬カレンダーに仕上げることができ、患者はこれを受取った後、図４のように小さく折畳んで持ち帰ることができる。特許文献３の図６に示すジャバラ状に折畳んだものと異なり、図４ごとくの四つ折りであるため開き難く、持ち歩き易いものとなっている。第一帯板部２と第二帯板部４の存在によって、各単位スペース６０に貼着される個装薬剤ｍ又は収納袋Ｇの保持空間εが生まれるので、持ち歩く際、四つ折りの折畳み服薬カレンダーＣＡの外形が個装薬剤ｍや収納袋Ｇでいびつになったり、個装薬剤ｍや収納袋Ｇが擦れ合ったりすることもない。四つ折りに折畳まれる基板１の平面視大きさが、Ａ４サイズ以下でＢ５サイズ以上になるようにすると、汎用レジ袋Ｒに簡単に収納できる(図８)。保険薬局で一ヶ月分の薬が手渡され、図１のごとく一週間分の薬を仕分けセットした折畳み服薬カレンダーＣＡが四枚になってもレジ袋Ｒに収納できるので、服薬日時にセットした折畳み服薬カレンダーＣＡを、そのセット状態で楽に持ち運べる。車通院でなくても、レジ袋Ｒを苦労なく手で持って帰宅の途につくことができる。
【００３２】
加えて、本折畳み服薬カレンダーＣＡは、特許文献１〜３とは違って、薬剤ｍ用のポケットを設けないので、低コストで生産できる。特許文献３のように日付プレートや曜日プレートのプレートポケットも存在しないので、製造コストをさらに安くできる。
本折畳み服用カレンダーＣＡは、基板１とその表面側に印刷した格子線図６からなる構成で足りる。タイトル行スペース６５,タイトル列スペース６６,６７に服薬スケジュールに合わせた日付、曜日、又は時間帯をマジック等で直書きすれば、毎日決められた時間に服用しなければならない薬が一目で視認できる折畳み服薬カレンダーＣＡになる。直書きするのに代え、シール片８１を適宜採用しても、特許文献１〜３の製品と比べれば格段に安くなっている。
折畳み服用カレンダーＣＡが極めて廉価であるので、普及効果が期待できる。購入し易くまた販促品として提供し易い。保険薬局等が販促品として用いれば、患者を獲得し売り上げ向上に結びつく。と同時に、現在、在宅訪問が必要ではなく、外来通院している患者のなかには、本折畳み服薬カレンダーＣＡに保険薬局の薬剤師がセットすることで、服薬コンプライアンスが確実に向上する患者がいると思われているので、数多くの患者の速やかな健康回復にも結びつく。低コストで普及し易く、社会貢献が絶大な製品になっている。普及すれば、飲み違いや二重服用、または飲み忘れを防止に多大な効を奏する。
【００３３】
また、基板表面１ａに、シール部材８の接着面を着脱自在に貼着できる平滑面が形成されると、格子線図６の上縁沿い及び左側縁沿いの基板１上に、服薬スケジュールに合わせた日付、曜日又は時間帯を直書きするか、又は印刷したシール片８１等を簡単に貼着して、患者に合わせた服薬カレンダーに素早く仕上げることができる。基板表面１ａが平滑面に形成されるので、各単位スペース６０に所定の個装薬剤ｍや収納袋Ｇを接着テープ片Ｔ等で貼着し、楽に固定セットできる。シール片８１や接着テープ片Ｔで止めるので、さほど労を要さず、時間もかからない。そのため、保険薬局等で、単に薬を提供するに終わらず、毎日決められた時間に服用しなければならない薬が一目で判る折畳み服薬カレンダーＣＡに仕上げるサービスを円滑提供できる。一方、患者が家に持ち帰り、壁に吊るした折畳み服薬カレンダーＣＡから薬を飲む時は、その個装薬剤ｍや収納袋Ｇを基板１から引き離すように手元に引けば、基板表面１ａが平滑面であるので、基板１から簡単に外すことができる。作業性,使い勝手が良い。
【００３４】
そして、第一,第二,第三折り目Ｆ１〜Ｆ３で折曲げ、両副板部５の裏面５ｂ同士を対向させて折畳まれてなる基板１の平面視大きさが、Ａ４サイズ以下でＢ５サイズ以上になるようにすると、折畳んだ折畳み服薬カレンダーＣＡを汎用レジ袋Ｒの中にちょうど収まるので、持ち運びにいたって都合の良い優れものになっている。
また、格子線図６に単位スペース６０が横方向に複数設けられると共に縦方向に七段設けられ、且つ単位スペース６０の最左列よりも左方外側沿いの基板１上にタイトル列スペース６６が設けられ、該タイトル列スペース６６に服薬スケジュールに合わせた曜日を直書きするか又は曜日を印刷した前記シール片８１を貼着するようにすると、一週七日に割り当てたカレンダーになるので、見易くなる。さらに、単位スペース６０の最上段よりも上方外側沿いの前記基板１上にタイトル行スペース６５が設けられ、該タイトル行スペース６５に服薬スケジュールに合わせた時間帯を直書きするか又は時間帯を印刷した前記シール片８１を貼着すると、毎日決められた時間に服用しなければならない薬が一目瞭然となる。
【００３５】
加えて、基板１が、紙製板体１Ｓの表面に格子線図６が印刷され、該格子線図６を介在させた紙製板体１Ｓの表面側に被膜１Ｍが一体化されると、基板表面１ａは、シール部材８の接着面をより円滑に着脱自在に貼着可能な平滑面に作製できる。格子線図６を介在させた紙製板体１Ｓの表面側に被膜１Ｍが一体化されるので、格子線図６のインク剥がれを防止し、耐久性にも優れる。
さらに、格子線図６を介在させた紙製板体１Ｓの表面側に、ポリプロピレンフィルムの被膜１Ｍが熱圧着で一体化されると、ポリプロピレン樹脂が熱可塑性樹脂であるので、熱圧着によるラミネート加工で、紙製板体１Ｓの表面にポリプロピレンフィルムの被膜１Ｍを頗る容易に形成できる。ポリプロピレンフィルム貼着による被膜形成であるので、平滑性に優れるのみならず強靭性,光沢があって、格子線図６が鮮やかに見えるようになり、品質向上にも貢献する。
【００３６】
また、基板１が合成樹脂製板体１Ｐからなり、且つ第一折り目Ｆ１、第二折り目Ｆ２、及び第三折り目Ｆ３をインテグラルヒンジ１Ｈで形成して、主板部３、副板部５、第一帯板部２、第二帯板部４、第一折り目Ｆ１、第二折り目Ｆ２、及び第三折り目Ｆ３が一体成形されてなると、紙製板体１Ｓよりも合成樹脂製板体１Ｐが保形性、機械的強度に優れるので、一段と耐久性に優れた折畳み服薬カレンダーＣＡになる。第一折り目Ｆ１、第二折り目Ｆ２、及び第三折り目Ｆ３をインテグラルヒンジ１Ｈで形成して、主板部３、副板部５、第一帯板部２、及び第二帯板部４が一体成形されるので、低コスト生産できる。
基板１の上部に吊設用透孔３６が形成され、さらに基板１の上部の両端寄りに係止用通孔３７が形成されると、本折畳み服薬カレンダーＣＡは壁に掛ける場合だけでなく、通孔３７を利用して画鋲等でも簡単に壁等に係止固定できる。
このように本考案の折畳み服薬カレンダーＣＡは、上述した数々の優れた効果を発揮し、極めて有益となる。
【００３７】
尚、本考案においては前記実施形態に示すものに限られず、目的,用途に応じて本考案の範囲で種々変更できる。基板１,第一帯板部２,主板部３,第二帯板部４,副板部５,格子線図６,シール片８１等の形状,大きさ,個数,材質等は用途に合わせて適宜選択できる。
【符号の説明】
【００３８】
１            基板
１ａ          表面
１Ｓ          紙製板体
１Ｍ          被膜
２            第一帯板部
３            主板部
４            第二帯板部
５            副板部
６            格子線図
６０          単位スペース
６１          縦線
６２          横線
６３          窓枠
６５          タイトル行スペース
６６          タイトル列スペース
７            服薬スケジュール管理線図（管理線図）
８            シール部材
８１          シール片
Ｆ１          第一折り目
Ｆ２          第二折り目
Ｆ３          第三折り目
Ｇ            収納袋
ｍ            薬剤（薬）
【図１】
0003197075.tif 000003
【図２】
0003197075.tif 000004
【図３】
0003197075.tif 000005
【図４】
0003197075.tif 000006
【図５】
0003197075.tif 000007
【図６】
0003197075.tif 000008
【図７】
0003197075.tif 000009
【図８】
0003197075.tif 000010